(57)【要約】      （修正有）【課題】複数の類似の使い捨て器具の構成部品がわずかに異なっている場合でも、ユーザーが誤解することを防止でき、医療用装置の選択をより容易にするシステムを提供する。【解決手段】液体処理用医療装置を設定する方法は、ａ）液体処理用医療装置による治療法において使用する使い捨て器具をユーザーによって読み取り装置に対して位置決めする過程と、ｂ）読み取り装置により、使い捨て器具に記載された器具に関する情報を読み取る過程と、ｃ）読み取られた器具関連情報をデータベースに保存された器具関連情報と照合する過程と、ｄ）過程ｃ）における照合結果に基づいて、使い捨て器具に対して適切な治療法を選択し、その選択結果をユーザーに供給する過程とを備える。【選択図】図３
2017159025.tif 000002
【特許請求の範囲】
【請求項１】
液体処理用医療装置（２）を設定する方法であって、
ａ）当該液体処理用医療装置（２）による治療法において使用する使い捨て器具（４）をユーザーによって読み取り装置（１０）に対して位置決めする過程と、
ｂ）前記読み取り装置（１０）により、前記使い捨て器具（４）に記載された当該器具に関する情報（８）を読み取る過程と、
ｃ）読み取られた当該器具関連情報（８）をデータベースに保存された器具関連データと照合する過程と、
ｄ）過程ｃ）における照合結果に基づいて、前記使い捨て器具（４）に対して適切な治療法を選択し、その選択結果をユーザーに供給する過程と、
を備える方法において、
前記過程ｂ）、ｃ）及びｄ）は、前記液体処理用医療装置（２）に接続された制御システムまたは前記液体処理用医療装置（２）の一部を構成する制御システムにより、自動的に実行されることを特徴とする方法。
【請求項２】
前記過程ｄ）の後に実行される過程ｅ）であって、
選択された治療法の中からユーザーによって手動で一つの適切な治療法を選択する過程ｅ）をさらに備えることを特徴とする請求項１に記載の方法。
【請求項３】
過程ｄ）における選択がユーザーの希望に合致しない場合には、前記過程ａ）及び／または前記過程ｂ）に戻る過程をユーザーが実行することを特徴とする請求項１または２に記載の方法。
【請求項４】
前記過程ｄ）の後に実行される過程ｆ）であって、
前記使い捨て器具（４）を治療用の前記液体処理用医療装置（２）に連結し、及び／または、治療法を実施する過程ｆ）をさらに備えることを特徴とする請求項１乃至３の何れか一項に記載の方法。
【請求項５】
前記過程ｄ）は、ディスプレイ装置（１２）に選択可能な治療法を表示する過程からなり、前記ディスプレイ装置（１２）は好ましくは前記液体処理用医療装置（２）の一部を構成するものであることを特徴とする請求項１乃至４の何れか一項に記載の方法。
【請求項６】
前記データベースは、前記器具に関する情報（８）、特に、使い捨て器具のＩＤを器具関連データに割り当てるコンコーダンステーブルまたはコンコーダンスマトリクスからなり、前記器具関連データは、前記使い捨て器具のアイデンティティーのグループ、一連の同一の使い捨て器具のアイデンティティー、製造者、製造の詳細、製造データ、使用期限、関連する使い捨て器具とともに実施される治療法及び／または治療法のデータの少なくとも一つに関するものであることを特徴とする請求項１乃至５の何れか一項に記載の方法。
【請求項７】
前記使い捨て器具（４）に記載される前記器具に関する情報（８）は使用期限を含んでおり、前記使い捨て器具（４）の使用期限が切れていない場合には、前記過程ｃ）のみを実施することを特徴とする請求項１乃至６の何れか一項に記載の方法。
【請求項８】
既にある治療法で使用された使い捨て器具（４）を未使用の使い捨て器具（４）に変更する過程をさらに備え、この場合、少なくとも過程ａ）乃至ｃ）を再び実行することを特徴とする請求項１乃至７の何れか一項に記載の方法。
【請求項９】
液体処理用医療装置（２）であって、
当該液体処理用医療装置（２）の作動を制御する制御装置と、
前記液体処理用医療装置（２）において使用される使い捨て器具（４）であって、ユーザーにより当該読み取り装置（１０）に対して位置決めされている使い捨て器具（４）に記載されている器具に関する情報（８）を自動的に読み取る読み取り装置（１０）と、
前記液体処理用医療装置（２）の制御情報及び作動情報を表示する表示装置（１２）と、
を備え、
前記制御装置は、
ａ）前記読み取り装置（１０）により読み取られた器具関連情報（８）を前記液体処理用医療装置（２）内のデータベースまたはネットワークを介して前記液体処理用医療装置（２）に接続されたデータベースに保存された器具関連データと自動的に照合し、
ｂ）前記ａ）における照合結果に基づいて選択された、前記使い捨て器具（４）に対する適切な治療法を前記表示装置（１２）により前記ユーザーに自動的に示すものである液体処理用医療装置（２）。
【請求項１０】
前記表示装置（１２）は、当該表示装置（１２）に表示された治療法の中から一つの治療法をユーザーが選択することを可能にするタッチ式スクリーンであり、
前記制御装置は、前記液体処理用医療装置（２）の構成要素、特に、一つまたは二つ以上の蠕動ポンプ及び／または注射器を選択された治療法に従って作動させるものであることを特徴とする請求項９に記載の液体処理用医療装置（２）。
【請求項１１】
前記ｂ）において選択された治療法がユーザーの要望に合致しない場合には、前記制御装置は、他の使い捨て器具（４）に記載された器具関連情報（８）を前記ユーザーが前記読み取り装置を介して読むことを可能にするものであることを特徴とする請求項９または１０に記載の液体処理用医療装置（２）。
【請求項１２】
前記制御装置は、治療法が選択されると、前記使い捨て器具（４）を前記液体処理用医療装置（２）に正確にインストールする一つまたは複数の過程を前記表示装置（１２）を介して前記ユーザーに表示するものであることを特徴とする請求項９乃至１１の何れか一項に記載の液体処理用医療装置（２）。
【請求項１３】
前記使い捨て器具（４）が正常にインストールされたかどうかを検知する一つまたは複数のセンサーをさらに備えており、
前記制御装置は、前記センサーにより検知された前記使い捨て器具（４）が正常にインストールされた後においてのみ、選択された治療法を開始することを特徴とする請求項９乃至１２の何れか一項に記載の液体処理用医療装置（２）。
【請求項１４】
前記データベースは前記液体処理用医療装置（２）に内蔵されており、前記データベースは、前記器具に関する情報（８）、特に、使い捨て器具のＩＤを器具関連データに割り当てるコンコーダンステーブルまたはコンコーダンスマトリクスからなり、前記器具関連データは、前記使い捨て器具のアイデンティティーのグループ、一連の同一の使い捨て器具のアイデンティティー、製造者、製造の詳細、製造データ、使用期限、関連する使い捨て器具とともに実施される治療法及び／または治療法のデータの少なくとも一つに関するものであることを特徴とする請求項９乃至１３の何れか一項に記載の液体処理用医療装置（２）。
【請求項１５】
前記制御装置は、治療法が選択されると、前記読み取り装置（１０）の作動を停止させるものであることを特徴とする請求項９乃至１４の何れか一項に記載の液体処理用医療装置（２）。
【発明の詳細な説明】
【技術分野】
【０００１】
本発明は液体処理用医療装置の設定方法、より詳細には、体外血液処理装置の設定方法及び液体処理用医療装置に関する。
【背景技術】
【０００２】
最新のＣＲＲＴ（連続腎臓置換治療法）装置は、当該装置に供給される、使い捨て器具に関する情報を読み取る読み取り装置を備えている。このような情報は、廃棄すべき使い捨て器具からの防衛策として用いられるとともに、全ての情報を手動で入力しなくてもよいという利便性を向上させるものとして用いられる。使い捨て器具の型式についての情報を用いて、その使い捨て器具を用いて予定された治療法を実施したり、誤った手順を実行しないようにすることができる。通常は、ユーザーは自らが実施したいと希望する治療法を最初に選択する。治療法を選択した後に、あるいは、使い捨て器具を変更した後に、使用しようとする新しい使い捨て器具が読み取り装置を用いてスキャンされる。仮に、選択した使い捨て器具が読み取り装置の内蔵データに合致しないときには、既存の装置においては、アラームが鳴ったり、誤った使い捨て器具がスキャンされた旨の表示がなされる。
【０００３】
ＷＯ２００８／１２９３４４Ａ１公報は液体処理装置を設定する同様の方法を開示している。この方法においては、液体処理を実行するために当該装置に搭載される置換可能な器具に関する情報を読み取る単一の常時アクセス可能な読み取り装置が用いられる。同公報は、さらに、常にアクセス可能な読み取り装置を備える液体処理装置をも開示している。この読み取り装置は他の情報、すなわち、液体処理装置のコマンドや患者に関する情報などの置換可能な器具に関する情報を入力する際にも使用される。
【先行技術文献】
【特許文献】
【０００４】
【特許文献１】ＷＯ２００８／１２９３４４Ａ１公報
【発明の概要】
【発明が解決しようとする課題】
【０００５】
現在の技術の欠点は、例えば、最初の表示段階で、ユーザーが最終的な治療法を詳細にわたって選択しなければならないことである。このとき、ユーザーは多数の異なる治療法や治療法の多数の組み合わせの中から選択しなければならない。
【０００６】
本発明の目的は、既知の方法に対して新たな解決策を提供することにあり、特に、ユーザーに対する利便性を向上させ、医療用装置の選択をより容易にすることにある。
【課題を解決するための手段】
【０００７】
本発明によれば、上記の目的は、液体処理用医療装置、特に、体外血液処理装置を設定する方法であって、ａ）当該液体処理用医療装置による治療法において使用する使い捨て器具をユーザーによって読み取り装置に対して位置決めする過程と、ｂ）前記読み取り装置により、前記使い捨て器具に記載された当該器具に関する情報を読み取る過程と、ｃ）読み取られた器具関連情報をデータベースに保存された器具関連データと照合する過程と、ｄ）過程ｃ）における照合結果に基づいて、前記使い捨て器具に対して適切な治療法を選択し、その選択結果をユーザーに供給する過程と、を備える方法により達成される。
【０００８】
本発明による利点は、ユーザーによって簡単に液体処理用医療装置を設定することができ、さらに、治療法を開始することができることである。本発明においては、使い易さを向上させ、さらに、準備プローブに内在する誤りを回避するために、種々のやり方を実施することができる。例えば、本発明の一つの特徴は、読み取られた使い捨て器具が選択された治療法に合致しないときに、先行技術のように、エラーメッセージを送るのではなく、本発明が提案した全ての選択肢を読み取った後に、読み取られた使い捨て器具を使える可能性がある治療法のリストを表示することである。従って、本発明にとっては、適切ではない治療法が選択されたときに発するアラームの機能は必要ではなく、さらに、本発明は、ユーザーが僅かな範囲の治療法を一目で把握できることを可能にする。全ての治療法を網羅した長く完璧なリストは全ての選択肢を幅広く検討するときに必要となるにすぎない。このため、本発明は、（読み取られた使い捨て器具に関して）ユーザーに対する適切な治療法の事前選択によって、液体処理用医療装置の設定を短時間で、かつ、容易に行うことを可能にするものである。
【０００９】
本発明によれば、ユーザーが最初に行わなければならないことは、予定された治療法に対してユーザーが十分な、あるいは、適切であると信じる、あるいは、ユーザーが使用しようとする使い捨て器具または使い捨て器具のキットを選択し、及び/または、取得することである。次いで、ユーザーにより選択された使い捨て器具は読み取り装置に対して位置決めされ、その使い捨て器具に記載された器具関連情報が読み取り装置により読み取られる。使い捨て器具の位置決めはユーザーが手動で行ってもよく、あるいは、医療スタッフなどの他人が手動で行ってもよく、あるいは、自動的に実行させることも可能である。
【００１０】
選択された使い捨て器具に記載された情報は、例えば、その使い捨て器具のＩＤであり、及び/または、その使い捨て器具の物性または特性を含むものであってもよい。使い捨て器具のＩＤ及びその他の情報は、例えば、当該使い捨て器具に印刷され、あるいは、何らかの方法によりわかるようになっているバーコード、カラーコード、あるいは、同様の光学的コードの形式をなしている。あるいは、使い捨て器具のＩＤ及びその他の情報は、当該使い捨て器具の一部をなしている読み取り可能なデータ保存ユニットに保存されたデータであってもよい。データ保存ユニットとしては、ＲＦＩＤ装置、マイクロチップ、機械的なキーなどがある。前述のように、これらの情報としては、器具を特定するＩＤ及び/または以下の情報群を追加的に、あるいは、代替的に含むものであってもよい。この情報群には、形式、貯蔵寿命、製造者、製造の詳細、製造データ、使用期限、関連する使い捨て器具とともに実施される治療法、治療法のデータあるいは使い捨て器具の他のパラメータまたはシステムの他のパラメータが含まれる。従って、過程ｃ）は、器具関連情報は使い捨て器具に関するデータ保存装置に既に保存されたものとしてもよく、及び/または、使い捨て器具とは分離されたものであるが、使い捨て器具ＩＤを用いてアクセス可能なデータベースに保存されているものであってもよい、と理解する必要がある。本発明によれば、使い捨て器具及び/または使い捨て器具の型式に関する情報を用いて、適切な使い捨て器具を用いて予定された治療法を実施することができ、間違った、あるいは、不正確な、あるいは、完全ではない治療法が実施されることを防止することが可能である。さらに、本発明によれば、使い捨て器具に関する情報（例えば、フィルターのサイズ、プライミングの量など）を用いて、治療法システムの過程または治療法の過程を最適化することが可能である。
【００１１】
本発明によれば、選択された使い捨て器具に対する適切な治療法の選択は、器具関連情報及び／または器具関連データに依存して行われる。この点に関して、本発明に係る方法の過程ｃ）及びｄ）は、例えば、液体処理用医療装置の一部をなしている処理装置または制御装置により自動的に実施される。従って、選択の対象となるのは、ユーザーによって選択され、読み取り装置により読み取られた使い捨て器具で実施可能な治療法に限定される。ユーザーは限定された数の治療法の可能性のみを検討すればよいので、この点は、先行技術と比較して、本質的な相違であり、かつ、有効な点である。これにより、治療法を実施するための液体処理用医療装置の使用、特に、液体処理用医療装置の設定がユーザー、多くの場合、医療の専門家ではなく、経験も少なく、さらに、医療装置を扱うことも多くはないスタッフやユーザー（例えば、家庭での透析装置のユーザー）にとって、より容易になる。選択の対象となり、液体処理用医療装置により実施される治療法の例としては、治療法型（例えば、低速連続式限外濾過（ＳＣＵＦ）、連続式静脈−静脈血液濾過（ＣＶＶＨ）、連続式静脈−静脈血液透析（ＣＶＶＨＤ）、連続式静脈−静脈血液透析濾過（ＣＶＶＨＤＦ）、治療的血漿交換（ＴＰＥ）、血液灌流（ＨＰ）、過流濾過（ＣＦ）、血漿吸着（ＰＡ）、低血液量（ＬＢＶ）など）、濾過形式（例えば、事前濾過、事後濾過、事前−事後濾過、事後−事後濾過など）及び抗凝結型（無し、ヘパリン、クエン酸塩など）の少なくとも一つがある。
【００１２】
本発明の一実施態様においては、使い捨て器具から取得される器具関連情報には使用期限が含まれており、使い捨て器具の使用期限が切れていない場合には、過程ｃ）のみが実施される。使い捨て器具の使用期限が切れている場合には、ユーザーは過程ａ）を再度実施し、他の使い捨て器具（使用期限が切れていないもの）を選択するように促される（音声の、または、光学的な警告によって）。
【００１３】
本発明の一実施態様においては、本発明は、過程ｄ）の後に実行される過程ｅ）であって、選択された治療法の中から一つの適切な治療法を選択する過程ｅ）をさらに備える。この選択はユーザーによりなされる。ユーザーは自らの選択を手動で入力することもできるし、あるいは、治療法の選択肢の中の一つを、例えば、タッチスクリーン上で指定することにより、入力することもできる。
【００１４】
本発明に係る方法は、過程ｄ）における選択がユーザーの希望に合致しない場合には、過程ａ）及び／または過程ｂ）に戻る過程を備えることができる。このような追加の過程は、ユーザーが意図せずに間違った使い捨て器具を選択してしまい、この使い捨て器具がユーザーに対して行われる治療法には十分ではない場合に、有効である。あるいは、選択した使い捨て器具の使用期限が過ぎており、この使い捨て器具がもはや使用できないような場合にも有効である。ユーザーは自らが適切と考える他の使い捨て器具を選択することができ、本方法を最初からやり直すことができる。本発明に係る方法は、使い捨て器具を治療法用の液体処理用医療装置に連結し、及び／または、治療法を実施する過程をさらに備えることができる。
【００１５】
本発明の一実施態様においては、治療法に使用される予定の使い捨て器具から取得される情報を読み取る読み取り装置は液体処理用医療装置により構成される。このように、本発明に係る方法を実施する装置は極めてコンパクトにすることができる。読み取り装置としては、バーコードリーダー、カラーコードリーダー、ＱＲコード（登録商標）リーダー、光学的に形状及び／またはパターンを検出するリーダーなどの光学的リーダー、ＲＦＩＤリーダーなどの無線周波数リーダー、磁気リーダー、あるいは、使い捨て器具と読み取り装置とが相互に接近した場合（接触した場合または近接した場合）に、当該使い捨て器具から取得される情報を読み取るように構成されたあらゆる形式のリーダーが含まれる。
【００１６】
本発明の一実施態様においては、過程ｄ）においてなされた治療法の選択は表示装置に示される。この表示装置は液体処理用医療装置の一部を構成するものであることが好ましい。好ましくは、表示装置はモニターまたはタッチスクリーンである。
【００１７】
データベースは、器具に関する情報、特に、使い捨て器具のＩＤを器具関連データに割り当てるコンコーダンステーブルまたはコンコーダンスマトリクスから構成することができる。ここで、器具関連データは、使い捨て器具のアイデンティティーのグループ、一連の同一の使い捨て器具のアイデンティティー、製造者、製造の詳細、製造データ、使用期限、関連する使い捨て器具とともに実施される治療法、治療法のデータの少なくとも一つに関するものである。
【００１８】
本発明によれば、治療法の実施中に使い捨て器具を変更した場合には、ユーザーが使用しようとする新しい使い捨て器具から情報が読み取られる。新しい使い捨て器具が現在の治療法に関して適切である場合にのみ、当該使い捨て器具から情報が読み取られる。他の理由（例えば、期限切れ）により使用には適していない場合には、その使い捨て器具からの情報の読み取りはなされない。この場合、ユーザーには、その使い捨て器具は使用不可能である旨のメッセージまたは警告が発せられる。さらに、ユーザーは他の適切な使い捨て器具を選択するように促され、本発明のシステムもユーザーの新たな選択を待つ。
【００１９】
使い捨て器具の情報を装置が読み取ることができない場合、あるいは、使い捨て器具の情報が壊れているような場合には、その情報はユーザーが手動で入力することもできる。そのような場合、本発明のシステムは、ユーザーに対して、その情報を手動で入力するよう促すメッセージを発する。
【００２０】
本発明の別の態様においては、本発明は、当該液体処理用医療装置の作動を制御する制御装置と、液体処理用医療装置において使用される使い捨て器具であって、ユーザーにより当該読み取り装置に対して位置決めされている使い捨て器具から取得される器具関連情報を読み取る読み取り装置と、液体処理用医療装置の制御情報及び作動情報を表示する表示装置と、を備える液体処理用医療装置に関する。制御装置は、ａ）読み取り装置により読み取られた器具関連情報を液体処理用医療装置内のデータベースまたはネットワークを介して液体処理用医療装置に接続されたデータベースに保存された器具関連データと照合し、ｂ）過程ａ）における照合結果に基づいて選択された、使い捨て器具に対する適切な治療法を表示装置によりユーザーに示す。
【００２１】
本発明の一実施態様においては、表示装置は、当該表示装置に表示された一つの適切な治療法をユーザーが選択することを可能にするタッチ式スクリーンであり、制御装置は、液体処理用医療装置の構成要素、特に、一つまたは二つ以上の蠕動ポンプ及び／または注射器を選択された治療法に従って作動させる。
【００２２】
本発明の一実施形態においては、制御装置は、過程ｂ）において提供された治療法の選択がユーザーの要望に合致しない場合には、他の使い捨て器具から取得される器具関連情報をユーザーが読み取り装置を介して読むことを可能にするものとして構成される。
【００２３】
本発明の一実施形態においては、制御装置は、治療法が選択されると、使い捨て器具を液体処理用医療装置に正確にインストールする一つまたは複数の過程を表示装置を介してユーザーに表示するものとして構成することが可能である。
【００２４】
本発明の一実施形態においては、液体処理用医療装置は使い捨て器具が正常にインストールされたかどうかを検知する一つまたは複数のセンサーをさらに備えており、制御装置は、センサーにより検知された使い捨て器具が正常にインストールされた後においてのみ、選択された治療法を開始するように構成される。
【００２５】
本発明の一実施形態においては、データベースは、器具に関する情報、特に、使い捨て器具のＩＤを器具関連データに割り当てるコンコーダンステーブルまたはコンコーダンスマトリクスからなり、器具関連データは、使い捨て器具のアイデンティティーのグループ、一連の同一の使い捨て器具のアイデンティティー、製造者、製造の詳細、製造データ、使用期限、関連する使い捨て器具とともに実施される治療法及び／または治療法のデータの少なくとも一つに関するものである。
【００２６】
本発明の一実施形態においては、制御装置は、治療法が選択されると、読み取り装置の作動を停止させるものとして構成される。
【００２７】
上述の実施形態を可能な範囲で組み合わせることは本発明の範囲に属する。
【００２８】
本発明により、以下の効果を得ることができる。複数の類似の使い捨て器具の構成部品がわずかに異なっている場合でも、ユーザーが誤解することを防止できること。ユーザーによって使い捨て器具が選択されると、実施される可能性のある治療法の簡単なリストが作成されること。
【００２９】
別の表現をすれば、本発明の目的は、ユーザーがより簡単に治療法を開始できるようにすることである。
本発明の範囲内における他の態様を用いて、より簡単に使用したり、準備段階での過誤を回避したりすることも可能である。ユーザーインターフェイスの他には、本発明によれば、より速く、かつ、より安全に、さらに入力を行って、利便性を向上させることも可能である。本発明によれば、本発明に係る方法についての第一の一般的な情報及びユーザーが取るべき行動は、最初の開始スクリーンに示される。ユーザーは、選択可能な治療法の一群から、容易にユーザー自身に適した治療法を選択することができる。読み取り装置により読み取られた使い捨て器具または使い捨て器具の形式とともに実施される治療法及び／または治療法の様式のみがスクリーン上に示されることは、大きな利点である。これにより、ユーザーフレンドリーな治療法開始が可能になる。液体処理用医療装置を設定するこれまでの方法とは異なり、ユーザーは、液体処理用医療装置により実施可能な膨大な数の治療法、治療法の組み合わせ、選択肢を処理することに代えて、限定された数の治療法から選択すればよい。これにより、ユーザーにとって本発明に係る方法を実施することが一層容易になる。
【００３０】
さらに、使い捨て器具の情報を読み取った後において、ユーザーが選択し、読み取り装置によって読み取られた使い捨て器具を対象とするいくつかの選択肢がユーザーには示される。換言すれば、本発明は、読み取られた使い捨て器具に関して、治療法実施中に、全ての可能な選択肢及び全ての可能な変更を俯瞰できる可能性を与えるものである。それらの選択肢及び変更はユーザーが明瞭に目視できるものであり、表示装置に示される。このように、全ての要求や期待が満足されることが保証される。
【００３１】
本発明は、使い捨て器具に関して実施可能なあらゆる治療法及び／または治療法モードを実施することが可能であり、さらに、異なる治療法モード間における変換も容易に行うことを可能にする。異なる治療法または治療法様式への変更は、十分に情報を読み取り、事前に連結された液体処理用医療装置によって、治療法の実施中においても可能である。
【００３２】
本発明の他の特質、特徴及び利点は以下の実施例の記載により明らかになる。実施例の記載は添付図面を参照して行われる。
【図面の簡単な説明】
【００３３】
【図１】インストールされた使い捨てキットを備える、本発明に係る液体処理用医療装置の斜視図である。
【図２】使い捨てキットを液体処理用医療装置にインストールする前の状態を示す。
【図３】本発明に係る液体処理用医療装置を設定する方法の一例のフローチャートである。
【図４】本発明に係る方法の第一段階におけるユーザーインターフェイスの画面を示す。
【図５】本発明に係る方法の第二段階におけるユーザーインターフェイスの画面を示す。
【発明を実施するための形態】
【００３４】
図１は、連続式腎臓置換治療法において使用される液体処理用医療装置２、例えば、透析装置を示す。使い捨てキット４が液体処理用医療装置２に取り付けられている。使い捨てキット４は図２に詳細に示されているが、使い捨てキット４は事前構成されたチューブ類を備えている。このチューブ類はパネル上に搭載されることになっており、さらに、液体処理用医療装置２のハウジングに容易に取り付けたり、容易に交換することができるようになっている。各パネル上のチューブ類は一つまたは複数の蠕動ポンプに容易に係合できるようになっており、さらに、液体処理用医療装置２に取り付けられているフィルターカートリッジ６、液体供給バッグ、ゴミバッグと連結し、または、それらから取り外すことができるようになっている。使い捨てキット４の構造及び使い捨てキット４と液体処理用医療装置２との連結の一例は米国特許第８，７４７，６６２号に詳細に開示されており、同米国特許の記載は本明細書に引用されているものとする。
【００３５】
一つのまたは全ての使い捨て器具あるいはそのパッケージ、例えば、使い捨てキット４やフィルターカートリッジ６には、バーコード、ＱＲコード（登録商標）、ＲＦＩＤコードなどの形式の機械で読み取り可能な情報が組み込まれている。図２に示すように、使い捨てキット４にはＱＲコード８が付されており、このＱＲコード８は、液体処理用医療装置２のハウジング内に取り付けられた読み取り装置またはスキャナー１０により読み取ることができる。ＱＲコード８に含まれる情報は読み取り装置１０により読み取られ、液体処理用医療装置２の制御装置（図示せず）により処理される。機械で読み取り可能な情報には、器具の形式、器具のＩＤまたはロット番号、使い捨て器具の使用期限の少なくとも一つが含まれる。これらの情報は液体処理用医療装置２のスクリーン１２に表示される。スクリーン１２はタッチスクリーンとすることができる。タッチスクリーンとすることにより、ユーザーは、データを入力したり、他の治療法の選択肢及び／またはスクリーン１２に表示されているパラメータを選択することができる。
【００３６】
図３は、本発明に係る方法のフローチャートの一例である。第一の過程において、ユーザーが液体処理用医療装置２を始動させると、治療法選択モードが現れる。その後、ユーザーは、実施する治療法に対して自身が適切と考える使い捨て器具を選択する。次いで、ユーザーはその使い捨て器具を読み取り装置またはスキャナーに対して配置する。使い捨て器具の情報が読み取られる、あるいは、スキャンされる。次の過程においては、読み取られた情報に基づいて、使い捨て器具の期限が切れているか否かがチェックされる。期限が切れている場合には、例えば、表示装置にその旨のメッセージを表示することにより、ユーザーに警告を発して期限切れを知らせる。この場合、他の使い捨て器具の期限も切れている場合には、さらに他の使い捨て器具の情報を読み取ること以外の動作は禁止される。読み取った情報に基づいて期限が切れていないことが判明した使い捨て器具がスキャンされるまで、これらの過程が繰り返される。あるいは、使い捨て器具の期限が切れている旨の警告が発せられた後、ユーザーは手動で新たな治療法の選択を入力することも可能である。
【００３７】
期限が切れていない使い捨て器具がスキャンされた場合、適切かつ選択可能かつ実施可能な治療法のリストが提供される。この選択は使い捨て器具から取得される情報とは関係なく行われる。これは、ユーザーが、スキャンされた使い捨て器具とともに実施される治療法または治療法群のみを検討すればよいことを意味している。これは、液体処理用医療装置上で実施可能な治療法の中から限定された数の治療法である。このため、ユーザーにとって、適切な治療法を選択することがより容易になる。
【００３８】
仮に、ユーザーが間違った、あるいは、適切ではない使い捨て器具をスキャンしたために、ユーザーが希望する治療法が選択肢の中にはないことに気がついた場合、あるいは、ある使い捨て器具の情報を読み取った後に提供された選択肢がユーザーの希望に合致しない場合には、ユーザーはスキャンの過程に戻って、他の使い捨て器具について再度スキャンすることが可能である。これは、戻ってやり直すことを保証するものであり、間違った治療法を実行することを防止することができる。
【００３９】
ユーザーが選択肢の中から一つを選択すると、ユーザーはスキャンした使い捨て器具を液体処理用医療装置に取り付け、さらに、実施を希望する治療法を選択することになる。次いで、正しい使い捨て器具が取り付けられているか否かがチェックされ、選択された治療法が実施される。
【００４０】
図４及び５は、それぞれ、本発明に係る方法の第一段階及び第二段階における液体処理用医療装置のタッチ式スクリーンの画面である。図４は、過程ａ）より前の液体処理用医療装置の設定のスタート時の画面である。画面の左側には、設定の際にユーザーがなすべき手順のリストが示されている。本発明の各段階において各手順をハイライトし、ユーザーに次の手順を示すことが可能である。図４においては、「キットをスキャンせよ」の指示タブがハイライトされており、これにより、ユーザーは使い捨て器具を選択するように促され、さらに、液体処理用医療装置の読み取り装置を用いてその使い捨て器具の情報を読み取るように促される。さらに、この段階ではハイライトされていない指示としては、「キットを取り付け」、「バッグを取り付け」、「自動プライミング」、「治療開始の準備完了」、「患者を装置に接続」などがある。スクリーンの中央には、他のアドバイスまたは他の情報が示されている。他の情報とは、使い捨て器具ＩＤ、使用期限、ロット番号などの、読み取り装置により読み取られた使い捨て器具に関する情報である。
【００４１】
図５は、本発明に係る方法の過程ｄ）を実施した後の段階におけるスクリーンを示している。スクリーンの左側には、次の指示タブ「治療法を選択」がハイライトされており、スクリーンの中央には、治療法のリストが示されており、この治療法のリストは、読み取られた使い捨て器具の情報に関連してデータベースから取り出されたものである。
【図１】
2017159025.tif 000003
【図２】
2017159025.tif 000004
【図３】
2017159025.tif 000005
【図４】
2017159025.tif 000006
【図５】
2017159025.tif 000007
【外国語明細書】
2017159025000001.pdf